(57)【要約】【課題】  珪藻土が剥離し難い機能性パネルと、当該機能性パネルの製造方法を提供する。【解決手段】  基材と基材表面に設けられた粘着層と粘着層の表面に設けられた珪藻土含有層を備え、粘着層と珪藻土含有層とが両層の投錨力によって結合された機能性パネルである。基材が非親水性である。粘着層と珪藻土含有層を備えた基材の外周にフレームがある。基材表面であってフレームの内側に粘着層を設け、粘着層の表面であってフレームの内側にゾル状又はゲル状の珪藻土含有材料を塗工して珪藻土含有層を形成し、珪藻土含有層に含まれる水分を蒸発させることによって、珪藻土含有層と粘着層を両層の投錨力によって結合させて機能性パネルを製造する方法である。【選択図】図１
2020139284.tif 000002
【特許請求の範囲】
【請求項１】
珪藻土含有層を備えた機能性パネルにおいて、
基材と、当該基材の表面に設けられた粘着層と、当該粘着層の表面に設けられた珪藻土含有層を備え、
前記粘着層と珪藻土含有層とが両層の投錨力によって結合された、
ことを特徴とする機能性パネル。
【請求項２】
請求項１記載の機能性パネルにおいて、
基材が非親水性の基材である、
ことを特徴とする機能性パネル。
【請求項３】
請求項１又は請求項２記載の機能性パネルにおいて、
粘着層と珪藻土含有層を備えた基材の外周にフレームを備えた、
ことを特徴とする機能性パネル。
【請求項４】
珪藻土含有層を備えた機能性パネルの製造方法において、
基材の外周にフレームを設け、
基材表面であってフレームの内側に粘着層を設け、
前記粘着層の表面であって前記フレームの内側にゾル状又はゲル状の珪藻土含有材料を塗工して珪藻土含有層を形成し、
前記珪藻土含有層に含まれる水分を蒸発させることによって、珪藻土含有層と粘着層を両層の投錨力によって結合させる、
ことを特徴とする機能性パネルの製造方法。
【請求項５】
請求項４記載の機能性パネルの製造方法において、
粘着層を非親水性の基材の表面に形成する、
ことを特徴とする機能性パネルの製造方法。
【発明の詳細な説明】
【技術分野】
【０００１】
本発明は、珪藻土含有層を備えた機能性パネルと、当該機能性パネルの製造方法に関する。
【背景技術】
【０００２】
珪藻土には、吸排出効果や消臭脱臭効果などがあることが知られており、古くから室内の壁に表層材として使用されている。珪藻土は乾燥すると崩れてしまうため、石灰やセメント、粘土、合成樹脂、繊維材等を混練して左官壁として使用されている。
【０００３】
左官壁として使用する場合、一般的には、荒壁や石膏ボードなどの剛性が高く親水性のあるベース上に塗布される。左官壁は厚さ２ｍｍ程度、０．５ｍｍ〜１ｍｍの凹凸状に塗工することで、空気中の湿気が吸排出されて消臭脱臭効果が発揮されるようにしている。
【０００４】
珪藻土を左官壁として利用することで、湿気の吸排出、消臭や脱臭等の効果が得られる一方、珪藻土を左官壁として利用する場合は費用が嵩むという難点がある。
【０００５】
この難点を解消するため、珪藻土を塗布した壁紙が提案されているが、この種の壁紙には珪藻土が剥がれないようにするために、合成糊などのバインダーが使用されているため、バインダーによって珪藻土の孔が塞がれて前記吸排出が阻害されることがある。
【０００６】
近年は、壁紙以外にも、基材に珪藻土含有層を備えたパネル（特許文献１）も提案されている。このようなパネルは、基材に紙などの下地材が貼着され、その上に珪藻土含有材料が塗工されている。
【先行技術文献】
【特許文献】
【０００７】
【特許文献１】実用新案登録第３１３２５９５号公報
【発明の概要】
【発明が解決しようとする課題】
【０００８】
しかし、従来の製造方法で製造されたパネルは、湿度の高い環境に置かれた場合、下地材が膨潤し、下地材の上の珪藻土含有材料が基材から剥がれ易くなるという問題があった。
【０００９】
本発明は前記事情に鑑みてなされたものであり、その解決課題は、珪藻土が剥離しにくい機能性パネルと、当該機能性パネルの製造方法を提供することにある。
【課題を解決するための手段】
【００１０】
［機能性パネル］
本発明の機能性パネルは、基材表面に粘着層があり、その粘着層の表面に珪藻土含有層があり、粘着層と珪藻土含有層とが両層の投錨効果により結合したものである。基材の周囲はフレームで囲われていてもよく、囲われていなくてもよい。ここで、粘着層とは、珪藻土含有層の水分が抜けると、投錨効果により珪藻土含有層と結合できるものであればよく、接着剤、或いは粘着剤や接着剤を備えたテープ等であってもよい（以下において同じ）。
【００１１】
［機能性パネルの製造方法］
本発明の機能性パネルの製造方法は、周囲がフレームで囲われている基材の表面に粘着層を設け、当該粘着層の表面であってフレームの内側にゾル状又はゲル状の珪藻土含有材料を塗工して珪藻土含有層を形成し、前記珪藻土含有層に含まれる水分を蒸発させて、粘着層と珪藻土含有層の投錨効果により両層を結合させる方法である。フレームは、珪藻土含有層の塗布後或いはその乾燥後に基材から取り外すことも、そのまま取り付けておくこともできる。
【発明の効果】
【００１２】
［機能性パネル］
本発明の機能性パネルは次のような効果がある。
（１）粘着層と珪藻土含有層とが両層の投錨効果により結合しているため、経時劣化による珪藻土含有層の剥離が生じにくい。基材が非親水性であっても珪藻土含有層が剥離しにくい。
（２）本発明の機能性パネルを室内の壁面やパーテーション等に掛けたり吊り下げたりしておくことにより、室内空気の浄化や室内湿度の調整が可能となるため、室内環境改善効果が期待できる。
（３）基材周囲にフレームがある場合は、室内に額装品を飾る場合と同様に、壁仕切り等に掛けたり吊り下げたりして室内装飾用として使用することもできる。
【００１３】
［機能性パネルの製造方法］
本発明の機能性パネルの製造方法は次のような効果がある。
（１）粘着層と珪藻土含有層とを、両層の投錨効果によって結合させるので、珪藻土含有層が剥離しにくくなる。
（２）機能性パネルの用途に合わせて、基材の大きさや形状を選択し、その上に粘着層、珪藻土含有層の順に設けることができるため、壁に塗布した壁土の上に珪藻土を塗布する場合と違って、大量の珪藻土を必要とせず、珪藻土含有層を手軽に塗布できる。
（３）粘着層と珪藻土含有層とを、基材の外周に設けたフレームの内側に塗布すれば、粘着層と珪藻土含有層を厚く盛っても（塗布しても）、粘着層も珪藻土含有層もフレームの外に落ちにくくなる。
【図面の簡単な説明】
【００１４】
【図１】本発明の機能性パネルの一例を示す説明図。
【図２】本発明の機能性パネルの一部切除の斜視図。
【図３】（ａ）、（ｂ）は本発明の機能性パネルであって、基材が異なる場合の一部断面図、（ｃ）は枠材を開いた状態の一部断面図。
【発明を実施するための形態】
【００１５】
（機能性パネルの実施形態）
本発明の機能性パネルの一例を、図面を参照して説明する。図１、図２に示す機能性パネル１は、長方形の基材２の上面に粘着層３があり、その上に珪藻土含有層４がある。基材２の外周にはフレーム５がある。
【００１６】
基材２は本発明の機能性パネルのベースとなるものであり、発泡スチロール板、アルミ板、アルミ複合板等の非親水性部材である。図示した基材２は長方形の平板材であり、上面が平滑であるが、基材２は三角形、ハート形といった任意形状とすることができ、サイズも用途に合わせて設計可能である。表面は凹凸であっても平滑であってもよい。
【００１７】
粘着層３は粘着剤であり、基材２と接着或いは結合し易いものである。その厚さは任意であるが、数μｍ〜数ｍｍ程度が適する。表面は平滑でも、凹凸があってもよい。
【００１８】
珪藻土含有層４は、少なくとも珪藻土を含むものであり、例えば、珪藻土、粘土（紙粘土を含む）、繊維材、接着剤や結着剤等々を混合したものが適する。繊維材には麻、その他の天然繊維、化学繊維等が適する。結着剤には澱粉や化学合成糊などの汎用のものを用いることができる。珪藻土含有層４の厚さは数ｍｍ、好ましくは２〜３ｍｍとして粘着層３よりも厚くしてある。珪藻土含有層４の表面は粗面、凹凸面、平滑面のいずれであってもよいが、粗面或いは凹凸面にして表面積を広くするのが望ましい。
【００１９】
前記粘着層３と珪藻土含有層４は投錨効果によって相互に結合している。投錨効果は、水分が含まれた珪藻土含有材料を粘着層３の表面に流し込んだ後、当該珪藻土含有材料に含まれた水分が蒸発することによって発現する。
【００２０】
前記フレーム５は基材２の外周を囲うものである。フレーム５は四本の枠材６のコーナーが継手７で連結されて長方形の枠状になっている。枠材６にはアルミ製やアルミ複合材製、木製、樹脂製といった材質のものを用いることができる。各継手７には紐などを通す環状の吊り具８が取り付けられている。
【００２１】
各枠材６は断面視コ字状であり、図３（ａ）のように、基材２と粘着層３のみに被さるようにすることも、図３（ｂ）のように珪藻土含有層４の上に被さるようにすることもできる。図３（ｂ）のように珪藻土含有層４の上に被さるようにした方が基材２から外れにくくなる。
【００２２】
フレーム５は固定の枠状でもよいが、各枠材６は図３（ｃ）のように矢印ａ−ｂ方向に回動可能であり、ｂ方向に回動させると基材２又は珪藻土含有層４の上から外れ、ａ方向に回動させると、基材２又は珪藻土含有層４の上に被さるようにすることもできる。
【００２３】
（機能性パネルの製造方法の実施形態）
本発明の珪藻土を含む機能性パネルの製造方法は、基材２の周囲にフレーム５を取り付け、そのフレーム５の内側に粘着剤、接着剤等の粘着層３を設け、その上にゲル状の珪藻土含有材料を盛り付け、ヘラやローラ、鏝等で均して珪藻土含有層４とする。可能であれば、粘着層３の上であってフレーム５の内側にゾル状の珪藻土含有材料を投入して珪藻土含有層４とすることもできる。珪藻土含有層４に含まれる水分は自然乾燥により又は強制乾燥により蒸発させて、粘着層３と珪藻土含有層４を両層の投錨効果により結合させる。珪藻土含有材料は基材２の表面とフレーム５の間の空間に入り込むように設けることもできる。
【００２４】
フレーム５は、ゲル状の珪藻土含有材料を盛り付けるときにその珪藻土含有材料が基材２の外にこぼれるのを防止することができ、ゾル状の珪藻土含有材料を投入するときはその珪藻土含有材料が基材２の外に流出するのを防止することができる程度の厚さが望ましい。
【００２５】
珪藻土含有材料は図３（ｂ）のようにフレーム５の内側まで入り込ませてもよい。この場合は、入り込ませない場合よりも堅牢な機能性パネルとなる。
【００２６】
フレームの材質、構造等は任意とすることができる。フレーム５は珪藻土含有層４を設けてから取り外してもよく取り付けたままにしておくこともできる。取り付けたままにしておくことにより装飾用の額にもなる。フレーム５は粘着層３、珪藻土含有層４を設けてから取り付けることもできる。この場合のフレーム５は主として装飾用となる。
【００２７】
フレーム５はその内側裏面に背板（図示しない）を備えたものであってもよい。この場合は、その背板の上に基材２を重ねてもよく、背板を基材２として使用することもできる。
【００２８】
［作用］
粘着層３の上の珪藻土含有材料は、粘着層３の上に盛り付けてから暫くは当該珪藻土含有材料に含まれる水分の水膜によって粘着層３と分離された状態であるが、時間の経過とともに珪藻土含有材料に含まれる水分が蒸発すると投錨効果が発現し、その投錨力によって粘着層３と珪藻土含有材料とが結合し剥離にし難くなる。
【産業上の利用可能性】
【００２９】
本発明の機能性パネル１は、室内の壁に吊り下げて利用するほか、牛舎や豚舎に設置するなど、種々の用途で利用することができる。
【符号の説明】
【００３０】
１    機能性パネル
２    基材
３    粘着層
４    珪藻土含有層
５    フレーム
６    枠材
７    継手
８    吊り具
【図１】
2020139284.tif 000003
【図２】
2020139284.tif 000004
【図３】
2020139284.tif 000005